(57)【特許請求の範囲】
【請求項１】
火災発生検知時に降下して防火区画を形成する防火シャッターであって、
複数のスラットを並設して構成されたシャッター本体と、
前記シャッター本体への散水を行うために当該シャッター本体の上方周辺に配置された散水ヘッドとを備え、
前記シャッター本体は、降下状態において第１の区画と第２の区画とを区画するものであり、降下状態において前記第１の区画に対向する第１の側面であって前記複数のスラットを相互に接続する接続部が突出しない第１の側面と、降下状態において前記第２の区画に対向する第２の側面であって前記接続部が突出する第２の側面とを有し、
少なくとも前記第１の側面である防水面に、前記散水ヘッドから散水を行うことによって流下水膜を形成可能である、
防火シャッター。
【請求項２】
前記第１の側面のみを前記防水面とする、
請求項１に記載の防火シャッター。
【請求項３】
前記シャッター本体の前記防水面に、親水性表面処理を行った、
請求項１又は２に記載の防火シャッター。
【請求項４】
前記散水ヘッドを、水平方向に沿って所定間隔で複数並設し、
前記複数の散水ヘッドの各々を、当該各散水ヘッドより下方に位置する前記シャッター本体に向けて傾斜状に散水可能となるように配置した、
請求項１から３のいずれか一項に記載の防火シャッター。
【請求項５】
前記散水ヘッドは、水流減速機構を備える、
請求項１から４のいずれか一項に記載の防火シャッター。
【請求項６】
火災発生検知時に降下して防火区画を形成し、複数のスラットを接続して構成されるシャッター本体を備えた防火シャッターに対して並設される、防火開閉体であって、
防火開閉体本体と、
前記防火開閉体本体への散水を行うために当該防火開閉体本体の上方周辺に配置された散水ヘッドとを備え、
前記シャッター本体は、降下状態において第１の区画と第２の区画とを区画するものであり、降下状態において前記第１の区画に対向する第１の側面であって前記複数のスラットを相互に接続する接続部が突出しない第１の側面と、降下状態において前記第２の区画に対向する第２の側面であって前記接続部が突出する第２の側面とを有し、
少なくとも前記第１の側面に沿った前記防火開閉体本体の側面である防水面に、前記散水ヘッドから散水を行うことによって流下水膜を形成可能である、
防火開閉体。
【請求項７】
前記第１の側面のみに沿った前記防火開閉体本体の側面を前記防水面とする、
請求項６に記載の防火開閉体。
【請求項８】
前記防火開閉体本体の前記防水面に、親水性表面処理を行った、
請求項６又は７に記載の防火開閉体。
【請求項９】
前記散水ヘッドを、水平方向に沿って所定間隔で複数並設し、
前記複数の散水ヘッドの各々を、当該各散水ヘッドより下方に位置する前記防火開閉体本体に向けて傾斜状に散水可能となるように配置した、
請求項６から８のいずれか一項に記載の防火開閉体。
【請求項１０】
前記散水ヘッドは、水流減速機構を備える、
請求項６から９のいずれか一項に記載の防火開閉体。
【発明の詳細な説明】
【技術分野】
【０００１】
本発明は、防火シャッター及び防火開閉体に関する。
【背景技術】
【０００２】
従来、各種の建築物に設けられた開口部を火災発生時に全閉状態とすることで、この建築物に防火区画を形成する電動式の防火シャッターが普及している。図１１は、このような従来の防火シャッター１００と、この防火シャッター１００に連携する火災報知システム１１０を概念的に示す図である。この防火シャッター１００は、概略的に、シャッター本体１０１、開閉機１０２、自動閉鎖装置１０３、手動閉鎖装置１０４、及び連動中継器１０５を備えて構成されている。一方、火災報知システム１１０は、火災感知器１１１と、防災盤１１２を備えて構成されている。そして、通常時には、ユーザにより手動閉鎖装置１０４が操作されることで、シャッター本体１０１を巻装する図示しない巻き取り軸を開閉機１０２が回転駆動させて、シャッター本体１０１を電動により上昇又は下降させる（なお、シャッター本体１０１の下端部には、座板１０６が設けられている）。また、火災感知器１１１によって火災が感知された時には、この火災感知器１１１から防災盤１１２に火災感知信号が出力され、防災盤１１２から連動中継器１０５に移報信号が出力される。そして、連動中継器１０５からの制御信号に基づいて自動閉鎖装置１０３が開閉機１０２のブレーキを解除することで、巻き取り軸に巻装されているシャッター本体を自重降下させて防火区画を形成する（例えば、特許文献１参照）。
【０００３】
ところで、この防火シャッター１００のシャッター本体１０１は、例えば防火性能を有する壁面と比べて遮熱性が劣る（具体的には、このシャッター本体１０１は、防火性能を有する壁面と比べて、火災熱によって熱せられやすい（例えば、数百度Ｃ以上の温度となる））。そのため、このシャッター本体１０１に蓄積された熱が防火区画に向けて放射されることにより、例えばシャッター本体１０１の近傍にいる避難者の避難活動や消防隊の消防活動等を妨げることが問題となっていた。
【０００４】
このような点に鑑みて、シャッター本体１０１に対して散水ヘッドを用いて散水することにより、当該シャッター本体１０１の温度上昇を抑制して、シャッター本体１０１の遮熱性を向上させた防火シャッター１００も提案されている（例えば、特許文献２参照）。
【先行技術文献】
【特許文献】
【０００５】
【特許文献１】特開２００６−２３３６０８号公報
【特許文献２】特開２００８−２９７７８２号公報
【発明の概要】
【発明が解決しようとする課題】
【０００６】
しかしながら、上述した従来の防火シャッター１００は、散水効率に関して改善の余地があった。例えば、シャッター本体１０１における防火区画側の側面と、防火区画側とは反対側の側面（以下、火災区画側の側面と称する）に散水が行われた場合に、シャッター本体１０１の複数のスラットの接続部の構造によっては、シャッター本体１０１における火災区画側の側面に対して散水された水が、当該複数のスラットの接続部の凸凹した側面上を流れることがあった。これにより、例えば、シャッター本体１０１における火災区画側の側面に不均一な流下水膜が形成されるので、当該火災区画側の側面への散水による遮熱効果が不十分となり、シャッター本体１０１の散水効率を低下させていた。
【０００７】
また、シャッター本体１０１における火災区画側の側面のみに散水が行われた場合に、上述したように、シャッター本体１０１の複数のスラットの接続部の構造によっては、シャッター本体１０１における火災区画側の側面に対して散水された水が、当該複数のスラットの接続部の凸凹した側面上を流れることで、当該シャッター本体１０１における火災区画側の側面に、遮熱に有効な厚みを有する流下水膜を形成することが困難であった。そのため、上述したような流下水膜を形成するためには、散水量が多大になることが問題となっていた。
【０００８】
本発明は、上記従来技術における課題を解決するためのものであって、散水ヘッドにおけるシャッター本体に対する散水効率を向上させることができる、防火シャッター及び防火開閉体を提供することを目的とする。
【課題を解決するための手段】
【０００９】
上述した課題を解決し、目的を達成するために、請求項１に記載の防火シャッターは、火災発生検知時に降下して防火区画を形成する防火シャッターであって、複数のスラットを並設して構成されたシャッター本体と、前記シャッター本体への散水を行うために当該シャッター本体の上方周辺に配置された散水ヘッドとを備え、前記シャッター本体は、降下状態において第１の区画と第２の区画とを区画するものであり、降下状態において前記第１の区画に対向する第１の側面であって前記複数のスラットを相互に接続する接続部が突出しない第１の側面と、降下状態において前記第２の区画に対向する第２の側面であって前記接続部が突出する第２の側面とを有し、少なくとも前記第１の側面である防水面に、前記散水ヘッドから散水を行うことによって流下水膜を形成可能である。
【００１０】
また、請求項２に記載の防火シャッターは、請求項１に記載の防火シャッターにおいて、前記第１の側面のみを前記防水面とする。
【００１１】
また、請求項３に記載の防火シャッターは、請求項１又は２に記載の防火シャッターにおいて、前記シャッター本体の前記防水面に、親水性表面処理を行っている。
【００１２】
また、請求項４に記載の防火シャッターは、請求項１から３のいずれか一項に記載の防火シャッターにおいて、前記散水ヘッドを、水平方向に沿って所定間隔で複数並設し、前記複数の散水ヘッドの各々を、当該各散水ヘッドより下方に位置する前記シャッター本体に向けて傾斜状に散水可能となるように配置した。
また、請求項５に記載の防火シャッターは、請求項１から４のいずれか一項に記載の防火シャッターにおいて、前記散水ヘッドは、水流減速機構を備える。
【００１３】
また、請求項６に記載の防火開閉体は、火災発生検知時に降下して防火区画を形成し、複数のスラットを接続して構成されるシャッター本体を備えた防火シャッターに対して並設される、防火開閉体であって、防火開閉体本体と、前記防火開閉体本体への散水を行うために当該防火開閉体本体の上方周辺に配置された散水ヘッドとを備え、前記シャッター本体は、降下状態において第１の区画と第２の区画とを区画するものであり、降下状態において前記第１の区画に対向する第１の側面であって前記複数のスラットを相互に接続する接続部が突出しない第１の側面と、降下状態において前記第２の区画に対向する第２の側面であって前記接続部が突出する第２の側面とを有し、少なくとも前記第１の側面に沿った前記防火開閉体本体の側面である防水面に、前記散水ヘッドから散水を行うことによって流下水膜を形成可能である。
【００１４】
また、請求項７に記載の防火開閉体は、請求項６に記載の防火開閉体において、前記第１の側面のみに沿った前記防火開閉体本体の側面を前記防水面とする。
【００１５】
また、請求項８に記載の防火開閉体は、請求項６又は７に記載の防火開閉体において、前記防火開閉体本体の前記防水面に、親水性表面処理を行っている。
【００１６】
また、請求項９に記載の防火開閉体は、請求項６から８のいずれか一項に記載の防火開閉体において、前記散水ヘッドを、水平方向に沿って所定間隔で複数並設し、前記複数の散水ヘッドの各々を、当該各散水ヘッドより下方に位置する前記防火開閉体本体に向けて傾斜状に散水可能となるように配置した。
また、請求項１０に記載の防火開閉体は、請求項６から９のいずれか一項に記載の防火開閉体において、前記散水ヘッドは、水流減速機構を備える。
【発明の効果】
【００１７】
請求項１又は２に記載の防火シャッターによれば、接続部が突出しない第１の側面である防水面に、散水ヘッドから散水を行うことによって流下水膜を形成可能であるので、従来の防火シャッターに比べて少流量で流下水膜を形成することができる。そのため、従来の防火シャッターに比べて散水ヘッドの散水量を低減しながら、シャッター本体の温度上昇を抑制することができ、散水ヘッドにおけるシャッター本体に対する散水効率を向上させることができる。
【００１８】
また、請求項３に記載の防火シャッターによれば、シャッター本体の防水面に、親水性表面処理を行ったので、シャッター本体の防水面に形成された均一な流下水膜が、当該防水面の上方から下方にわたって形成されやすくなる。
【００１９】
また、請求項４に記載の防火シャッターによれば、複数の散水ヘッドの各々を、当該各散水ヘッドより下方に位置するシャッター本体に向けて傾斜状に散水可能となるように配置したので、散水ヘッドから散水された水がシャッター本体の防水面に当たった時に、上方に反射した水は当該防水面のＸ方向及びＹ方向に拡散されるので、当該防水面に均一な流下水膜が一層形成されやすくなる。
【００２０】
また、請求項５に記載の防火シャッターによれば、散水ヘッドは、水流減速機構を備えるので、シャッター本体の防水面における水反射を抑制し、当該防水面に均一な流下水膜を形成することができる。
【００２１】
また、請求項６又は７に記載の防火開閉体によれば、接続部が突出しない第１の側面に沿った防火開閉体本体の側面である防水面に、散水ヘッドから散水を行うことによって流下水膜を形成可能であるので、従来の防火開閉体本体に比べて少流量で流下水膜を形成することができる。そのため、従来の防火開閉体本体に比べて散水ヘッドの散水量を低減しながら、防火開閉体本体の温度上昇を抑制することができ、散水ヘッドにおける防火開閉体本体に対する散水効率を向上させることができる。
【００２２】
また、請求項８に記載の防火開閉体によれば、防火開閉体本体の防水面に、親水性表面処理を行ったので、防火開閉体本体の防水面に形成された均一な流下水膜が、当該防水面の上方から下方にわたって形成されやすくなる。
【００２３】
また、請求項９に記載の防火開閉体によれば、複数の散水ヘッドの各々を、当該各散水ヘッドより下方に位置する防火開閉体本体に向けて傾斜状に散水可能となるように配置したので、散水ヘッドから散水された水が防火開閉体本体の防水面に当たった時に、上方に反射した水は当該防水面のＸ方向及びＹ方向に拡散されるので、当該防水面に均一な流下水膜が一層形成されやすくなる。
【００２４】
また、請求項１０に記載の防火開閉体によれば、散水ヘッドは、水流減速機構を備えるので、防火開閉体本体の防水面における水反射を抑制し、当該防水面に均一な流下水膜を形成することができる。
【図面の簡単な説明】
【００２５】
【図１】本実施の形態に係る防火シャッター、防火開閉体、及び火災報知システムを概念的に示す正面図である。
【図２】防火シャッターを示す図であり、（ａ）は正面図であり、（ｂ）は底面図である。
【図３】図２のＡ−Ａ矢視断面図である。
【図４】図３の要部拡大図である。
【図５】図４の要部拡大図である。
【図６】各散水ヘッドの配置関係を示す図である。
【図７】散水ヘッドの構成を示す図であり、（ａ）は縦断面図であり、（ｂ）は底面図である。
【図８】散水ヘッドの散水状況を示す正面図である。
【図９】図８のＢ−Ｂ矢視断面図である。
【図１０】図９の要部拡大図である。
【図１１】従来のシャッター装置、及び火災報知システムを概念的に示す正面図である。
【発明を実施するための形態】
【００２６】
以下に添付図面を参照して、本発明に係る実施の形態を詳細に説明する。ただし、この実施の形態によって本発明が限定されるものではない。
【００２７】
（概要）
最初に、本実施の形態に係る防火シャッターの概要について説明する。この防火シャッターは、特記する場合を除いて、任意の目的、設置場所、構造等を取ることができ、例えば、防火開閉体が並設される。ここで、防火開閉体とは、防火シャッターが閉じられた場合でも、廊下などの避難経路の通行を確保するために、当該避難経路に開閉自在に設置されるものであり、例えば、防火戸、避難用子扉、又はこれらを組み合わせたものにて構成される。また、シャッター本体の開閉方向も任意であり、鉛直方向や水平方向を含む。したがって、以下では、シャッター本体を鉛直方向に沿って開閉させる防火シャッターに防火開閉体を並設した場合を例として説明を行う。
【００２８】
（構成−防火シャッター）
次に、本実施の形態に係る防火シャッターの構成について説明する。ただし、防火シャッターは従来と同様に構成することが可能であり、特記しない構成や処理については従来と同様であるものとする。図１は、本実施の形態に係る防火シャッター１０、防火開閉体２０、及び火災報知システム３０を概念的に示す正面図である。図２は、防火シャッターを示す図であり、（ａ）は正面図であり、（ｂ）は底面図である。図３は、図２のＡ−Ａ矢視断面図である。図４は、図３の要部拡大図である。図５は、図４の要部拡大図である。図６は、各散水ヘッドの配置関係を示す図である。図７は、散水ヘッドの構成を示す図であり、（ａ）は縦断面図であり、（ｂ）は底面図である。
【００２９】
この防火シャッター１０は、建築物に設けられた開口部１を火災発生時に全閉状態とすることで、この建築物に防火区画を形成する電動式の防火シャッターであり、シャッター収納部１１、シャッターカーテン１２、開閉機１３、自動閉鎖装置１４、手動閉鎖装置１５、連動中継器１６、及び散水ヘッド５０ａ〜５０ｌ（これら散水ヘッド５０ａ〜５０ｌは、相互に区別する必要がない場合には「散水ヘッド５０」と総称する）を備えて構成されている。なお、以下の説明では、図１、図２のＸ方向を幅方向、Ｙ方向を高さ方向（＋Ｙ方向を上方、−Ｙ方向を下方）、Ｚ方向を奥行き方向と称する。また、シャッターカーテン１２（あるいは、後述する防火扉２１又は避難用子扉２２）に対して後述する散水ヘッド５０ａ〜５０ｌにて散水が行われる側の区画を第１の区画と称し、後述する散水ヘッド５０ａ〜５０ｌにて散水が行われない側の区画を第２の区画と称する。
【００３０】
シャッター収納部１１は、防火シャッター１０の各部を収容するための中空体であり、開口部１の上端近傍位置に取り付けられている。このシャッター収納部１１の内部には、開閉機１３、自動閉鎖装置１４、連動中継器１６、及び図示しない巻き取り軸が収容されている。また、巻き取り軸にてシャッターカーテン１２が巻き取られた状態では、シャッターカーテン１２も、シャッター収納部１１の内部に収容される。シャッター収納部１１の下面には、開口部幅方向全長にわたり図示しないスリットが形成されており、このスリットを介してシャッターカーテン１２の出し入れが行われる。
【００３１】
シャッターカーテン１２は、巻き取り軸によって巻き取り又は巻き出しされることで、開口部１を、全開状態、全閉状態、あるいはこれらの２状態の間の状態とするシャッター本体である。このシャッターカーテン１２は、複数のスラット１２ａを並設させて構成されている。
【００３２】
ここで、このスラット１２ａの構成については、シャッターカーテン１２の巻き取り又は巻き出し時のスラット１２ａの抜け出しを防止できる構成であることが好ましく、具体的には、本実施の形態では、図４、図５に示すように、スラットの下端部１２ａ２は、第２の区画側に突出し、隙間を存して斜め上方に延出して弧を描くようにフック状に湾曲して下方に臨む開口部が形成されており、スラットの上端部１２ａ１は、第２の区画側に突出し、斜め上方に延出していると共に、スラットの下端部１２ａ２と係合可能な湾曲状に形成されている。そして、これらスラットの上端部１２ａ１と下端部１２ａ２は、上下方向に延出するフラット面で形成されたスラットの本体部１２ａ３の上下端部に連結されている。これにより、スラット１２ａ同士の接続においては、一方のスラットの上端部１２ａ１と他方のスラットの下端部１２ａ２とを係合することできる。また、このようなスラット１２ａの接続部分の構造においては、図５に示すように、当該スラット１２ａの接続部分のうち、第２の区画側の突出部分の下端部においては、上方のスラットの下端部１２ａ２と下方のスラットの上端部１２ａ１とが当接されている。
【００３３】
そのため、例えば、シャッターカーテン１２における第１の区画側の側面に散水が行われた場合に、当該第１の区画側の側面において、スラットの本体部１２ａ３と、上方のスラット１２ａと下方のスラット１２ａとの接続部分がほぼフラットであるので、当該第１の区画側の側面に後述する均一な流下水膜が形成されやすくなる。
【００３４】
一方で、図５に示すように、スラット１２ａの接続部分のうち、第２の区画側の端部においては、上方のスラット１２ａと下方のスラット１２ａとの接続部分が第２の区画側に突出して形成されている。そのため、例えば、シャッターカーテン１２における第２の区画側の側面に散水が行われた場合に、当該第２の区画側の側面のうち、上方のスラット１２ａと下方のスラット１２ａとの接続部分が凸状であるので、当該第２の区画側の側面に後述する均一な流下水膜が形成されにくくなる。
【００３５】
また、図１に示すように、このシャッターカーテン１２の幅方向の両端部は、開口部１の左右内縁において上下方向に沿って設けられたガイドレール２に挿入されており、上下方向においてはガイドレール２の内部をスライド移動可能であり、かつ、前後方向においてはガイドレール２の外部に脱落しないように規制されている。このシャッターカーテン１２の下端部には、水平状の座板１７が設けられている。
【００３６】
開閉機１３は、巻き取り軸を回転駆動することによって電動でシャッターカーテン１２を昇降させる昇降手段であり、巻き取り軸の回転を制動する図示しないブレーキを備えている。
自動閉鎖装置１４は、シャッターカーテン１２の自重降下を制御する手段であり、連動中継器１６からの制御信号に基づいて、開閉機１３のブレーキレバーを引くことによりブレーキを解除させることで、シャッターカーテン１２を自重降下させ、あるいは、連動中継器１６からの制御信号に基づいて、開閉機１３のブレーキレバーを戻すことによりブレーキを作動させることで、シャッターカーテン１２の自重降下を停止させる。
【００３７】
シャッターカーテン１２を電動で昇降させる場合、自動閉鎖装置１４は作動せず、開閉機１３は自身でブレーキを解除すると共に、巻き取り軸を所定の巻き取り方向又は繰り出し方向に駆動することにより、シャッターカーテン１２を電動で上昇又は下降させて開口部１を全開状態又は全閉状態する。
一方、自動閉鎖装置１４でブレーキを解除することにより、シャッターカーテン１２を自重降下させて開口部１を全閉状態とし、あるいは、ブレーキを作動させて巻き取り軸の回転を制動することにより、シャッターカーテン１２の自重降下を停止させる。
【００３８】
手動閉鎖装置１５は、シャッターカーテン１２を操作する操作手段であり、シャッターカーテン１２を電動で上昇させる上昇ボタン、電動で下降させる下降ボタン、昇降中のシャッターカーテン１２を停止させる停止ボタンを備え、これら上昇ボタン、下降ボタン又は停止ボタンがユーザによって押圧された場合に、当該押圧されたボタンに応じた操作信号を連動中継器１６に出力することで、開閉機１３を介してシャッターカーテン１２が電動で上昇及び下降し、又はシャッターカーテン１２の昇降を停止する。
さらに手動閉鎖装置１５は、非常閉鎖ボタンを有しており、非常閉鎖ボタンを押圧することで、後述する火災発生時と同様、シャッターカーテン１２の自重降下が開始される。
【００３９】
連動中継器１６は、防火シャッター１０の各部を相互に連動させる制御手段であると共に、火災報知システム３０を防火シャッター１０に連動させる中継手段である。この連動中継器１６は、開閉機１３、自動閉鎖装置１４、手動閉鎖装置１５、散水ヘッド５０ａ〜５０ｌの図示しない開閉弁、及び火災報知システム３０の後述する防災盤３２とに、電気的に接続されている。特に、連動中継器１６は、自動閉鎖装置１４に制御信号を出力することで、シャッターカーテン１２を自重降下させ、あるいは、シャッターカーテン１２の自重降下を停止させる。
【００４０】
また、防火シャッター１０のシャッター収納部１１には、図示しない下限リミットスイッチが設けられている。この下限リミットスイッチは、シャッターカーテン１２の下端が、床面から所定距離（数ｃｍ）だけ上方側に設定された所定位置（以下、下限位置）に対して、上方と下方のいずれの側に位置しているかを検出するためのスイッチである。この下限リミットスイッチは、例えば、シャッターカーテン１２の巻き取り軸の回転量を検出するポテンショメータを含んで構成されており、シャッターカーテン１２の下端が下限位置より下方側に位置している場合に、下限リミット信号を連動中継器１６に出力する。
【００４１】
散水ヘッド５０ａ〜５０ｌは、図示しないタンクから配管１８を介して送られた水を、シャッターカーテン１２、又は防火開閉体２０に向けて散水するためのものである。図２、図３に示すように、これら散水ヘッド５０ａ〜５０ｌは、シャッターカーテン１２及び防火開閉体２０の上方周辺（例えば、シャッター収納部１１の下端部に配設された配管１８）にＸ方向に沿って並設されており、固定具等によって固定されている。これら散水ヘッド５０ａ〜５０ｌの配置については、具体的には、図６に示すように、散水範囲の相互間に隙間が生じないように、散水ヘッド５０の各々の間隔Ａ（例えば、５０〜３００ｍｍの間隔）を隔てて配置されている。
【００４２】
ここで、これら散水ヘッド５０ａ〜５０ｌの構成は、散水ヘッド５０ａ〜５０ｌから散水された水がシャッターカーテン１２又は防火開閉体２０の側面に当たったときに水反射を抑制できる構成であることが望ましく、本実施の形態では、散水ヘッド５０ａ〜５０ｌは、水流減速機構を有する散水ヘッドで構成されている。具体的には、図７に示すように、これら散水ヘッド５０ａ〜５０ｌの各々は、ボディー部５１と、ヘッド本体部５２とを備えている。
ボディー部５１は、配管１８から水を供給するための供給手段であり、配管１８に対して固定具によって接続されている。このボディー部５１の内側には、配管１８から供給される流水量を制限するための入口ノズル部５１ａ（具体的には、図７に示すように、入口ノズル部５１ａの径は、ボディー部５１の他の内径よりも小さくなっている）が設けられている。
ヘッド本体部５２は、散水ヘッド５０の基本構造体であり、ボディー部５１に対して螺合構造又は固定具によって接続されている。このヘッド本体部５２は、入口ノズル部５１ａによって流水量を制限された水の流れ方向を分散するためのデフレクター部５２ａと、デフレクター部５２ａによって流れ方向が分散された水を前室部５２ｂに滞留して外部に放射するためのノズル部５２ｃとを備えている。
このような散水ヘッド５０ａ〜５０ｌの構成により、例えば、配管１８に設けられた図示しない減圧装置にて０．２ＭＰａ程度以上の圧力が加えられた水が散水ヘッド５０ａ〜５０ｌに供給された場合でも、ノズル部５２ｃから放射される水の流速を５ｍ／ｓｅｃ以下にすることができるので、上述したシャッターカーテン１２の側面又は防火開閉体２０の側面における水反射を抑制し、当該シャッターカーテン１２の側面又は当該防火開閉体２０の側面に後述する均一な流下水膜を形成することができる。
なお、この散水ヘッド５０ａ〜５０ｌの設置の詳細については、後述する。
【００４３】
（構成−防火開閉体）
次に、本実施の形態に係る防火開閉体２０の構成について説明する。ただし、防火開閉体２０は従来と同様に構成することが可能であり、特記しない構成及び処理については従来と同様であるものとする。
この防火開閉体２０は、防火シャッター１０によって開口部１が全閉状態となった場合でも、避難経路の通行を確保するために、当該避難経路に開閉自在に設置されるものである。具体的には、図２に示すように、防火開閉体２０は、防火シャッター１０におけるＸ方向の開閉機１３側に位置するように、防火シャッター１０に対して並設されている。
また、図２に示すように、この防火開閉体２０は、防火扉２１と、防火扉２１に埋め込まれた避難用子扉２２とを備えて構成されている。なお、これら防火扉２１と避難用子扉２２は、特許請求の範囲における「防火開閉体本体」に対応する。
【００４４】
ここで、防火開閉体２０の構成は任意であり、具体的には、本実施の形態では、通常時には防火シャッター１０を開放しているものの防火扉２１を閉鎖し、火災時には防火シャッター１０のみを閉鎖する固定方立・常時閉鎖方式で構成されている（火災時には、避難経路の通行を確保するために、避難用子扉２２は開閉自在に設置されている。後述する固定方立・常時開放方式や袖扉連動方式も同様とする）。あるいは、これに限られず、防火開閉体２０は、通常時には防火シャッター１０及び防火扉２１を開放し、火災時には防火シャッター１０及び防火扉２１をそれぞれ閉鎖する固定方立・常時開放方式で構成されたり、又は、通常時には防火シャッター１０及び防火扉２１を開放し、火災時には防火シャッター１０及び防火扉２１を連動して閉鎖する袖扉連動方式で構成されてもよい。
【００４５】
（構成−火災報知システム）
次に、本実施の形態に係る防火シャッター１０及び防火開閉体２０と連動させる火災報知システム３０の構成について説明する。ただし、火災報知システム３０は従来と同様に構成することが可能であり、特記しない構成及び処理については従来と同様であるものとする。この火災報知システム３０は、建築物に設定された監視領域における火災発生を感知して報知するシステムであり、火災感知器３１と、防災盤３２を備えて構成されている。火災感知器３１は、監視領域における火災発生を感知した場合に、防災盤３２に火災感知信号を出力する。防災盤３２は、火災感知器３１から火災感知信号を受信した場合に、警報音の出力や火災表示灯の点灯を行うと共に、シャッターカーテン１２を全閉して第１の区画を形成して火災の延焼拡大を防止するため火災発生の旨を報知する移報信号を連動中継器１６に出力する。
【００４６】
（散水ヘッドの設置の詳細）
次に、本実施の形態に係る散水ヘッド５０ａ〜５０ｌの設置の詳細について説明する。図８は、散水ヘッド５０の散水状況を示す正面図である。図９は、図８のＢ−Ｂ矢視断面図である。図１０は、図９の要部拡大図である。
【００４７】
図８〜図１０に示すように、シャッターカーテン１２、防火扉２１、及び避難用子扉２２の両側面のうち、複数のスラット１２ａの相互の接続部が所定構造となる側面である防水面に、散水ヘッド５０ａ〜５０ｌから散水を行うことによって流下水膜が形成されるように、散水ヘッド５０ａ〜５０ｌは、防火シャッター１０よりも第１の区画側に配置されている。
【００４８】
ここで、「複数のスラット１２ａの相互の接続部が所定構造となる側面である防水面」とは、複数のスラット１２ａの相互の接続部が均一な流下水膜を保持することができる構造となる側面を意味し、具体的には、本実施の形態では、図１０に示すように、シャッターカーテン１２、防火扉２１、及び避難用子扉２２における第１の区画側の側面が該当する（一方、シャッターカーテン１２、防火扉２１、及び避難用子扉２２における第２の区画側の側面は該当しない。その理由としては、シャッターカーテン１２における第２の区画側の側面に対して散水された水が、上方のスラット１２ａと下方のスラット１２ａとの接続部分が凸状であるので、当該第２の区画側の側面において均一な流下水膜を保持できないからである）。
【００４９】
また、「均一な流下水膜」とは、シャッターカーテン１２、防火扉２１、及び避難用子扉２２における第１の区画側の側面において、散水が行われていない領域が存在しないように、且つ、火災の熱により水の一部が蒸発した場合であっても当該第１の区画側の側面の温度が上がり過ぎない程度の厚さで形成された水膜を意味する。
【００５０】
なお、シャッターカーテン１２、防火扉２１、及び避難用子扉２２における第１の区画側の側面の表面状態については、散水時に当該第１の区画側の側面に均一な流下水膜が一層形成されやすい表面状態であることが好ましく、具体的には、本実施の形態では、当該第１の区画側の側面に、親水性表面処理（例えば、水滴接触角が４０度以下となる表面処理等）が行われている。これにより、シャッターカーテン１２、防火扉２１、及び避難用子扉２２における第１の区画側の側面に形成された均一な流下水膜が、当該第１の区画側の側面の上方から下方にわたって形成されやすくなる。
【００５１】
また、図８、図９に示すように、散水ヘッド５０ａ〜５０ｌの各々は、当該各散水ヘッド５０より下方に位置するシャッターカーテン１２、防火扉２１、又は避難用子扉２２に向けて傾斜状に散水可能となるように配置されている。これにより、散水ヘッド５０ａ〜５０ｌの各々から散水された水がシャッターカーテン１２、防火扉２１、又は避難用子扉２２における第１の区画側の側面に当たった時に、上方に反射した水は当該第１の区画側の側面のＸ方向及びＹ方向に拡散されるため、当該第１の区画側の側面に均一な流下水膜が一層形成されやすくなる。
【００５２】
この場合において、散水ヘッド５０ａ〜５０ｌの散水方式については、例えば、散水ヘッド５０ａ〜５０ｌの各々から略棒状に散水してもよく、あるいは散水ヘッド５０ａ〜５０ｌの各々から略扇状に散水してもよい。
また、これら散水ヘッド５０ａ〜５０ｌの散水量については、シャッターカーテン１２、防火扉２１、及び避難用子扉２２における第１の区画側の側面全体に流下水膜が形成される散水量であることが望ましく、具体的には、本実施の形態では、流量範囲が５×１０−５から１×１０−３ｍ３／（ｓｅｃ・ｍ２）となる流下水膜を形成できる散水量としている（より具体的には、火災エネルギーが１００ｋＷ／ｍ２程度の火災である場合に、流量が４．２×１０−５ｍ３／（ｓｅｃ・ｍ２）程度となる流下水膜を形成できる散水量が好ましい。ただし、この散水量は、配管１８から供給される水の初期温度が５０℃であることを前提としたものである。すなわち、火災エネルギーが１００ｋＷ／ｍ２程度の火災である場合、供給水の初期温度を５０℃程度とする前提においては、シャッター面の横幅１ｍで縦幅１ｍに付き、およそ４．２×１０−５ｍ３／（ｓ・ｍ２）の水供給レートの時に、火災エネルギーと概ね釣り合う。従って、安全率を見込んで、上記のように、流量範囲を５×１０−５から１×１０−３ｍ３／（ｓｅｃ・ｍ２）とする。
【００５３】
（防火シャッターの機能）
このように構成された防火シャッター１０の機能は以下の通りである。まず、火災報知システム３０の火災感知器３１により火災が感知された場合、この火災感知器３１が防災盤３２に火災感知信号を出力し、防災盤３２が連動中継器１６に移報信号を出力し、連動中継器１６が自動閉鎖装置１４に起動信号を出力し、自動閉鎖装置１４が開閉機１３のブレーキを解除して、シャッターカーテン１２の自重降下を開始させる。
【００５４】
次に、シャッターカーテン１２が自重降下を開始してから所定時間経過後（具体的には、シャッターカーテン１２の自重降下が完了するまでの時間経過後）、連動中継器１６が散水ヘッド５０ａ〜５０ｌの図示しない開閉弁を開放する。その後、散水ヘッド５０ａ〜５０ｌは、シャッターカーテン１２、防火扉２１、及び避難用子扉２２における第１の区画側の側面に向けて散水を開始する。
【００５５】
次に、散水ヘッド５０ａ〜５０ｌは、所定のタイミング（具体的には、防災盤３２が連動中継器１６に火災復旧信号を出力したタイミング等）が到来するまで、シャッターカーテン１２、防火扉２１、及び避難用子扉２２における第１の区画側の側面に向けて散水を継続する。これにより、散水時にシャッターカーテン１２、防火扉２１、及び避難用子扉２２における第１の区画側の側面全体に均一な流下水膜が形成されるので、従来の防火シャッター１００（あるいは従来の防火開閉体）に比べて散水ヘッド５０ａ〜５０ｌの散水量を低減しながら、散水ヘッド５０ａ〜５０ｌのシャッターカーテン１２、防火扉２１、及び避難用子扉２２の温度上昇を抑制することができる。
【００５６】
続いて、防災盤３２が連動中継器１６に火災復旧の移報信号を出力し、連動中継器１６が散水ヘッド５０ａ〜５０ｌの図示しない開閉弁を閉鎖する。これにより、散水ヘッド５０ａ〜５０ｌによる散水が停止されるので、シャッターカーテン１２、防火扉２１、及び避難用子扉２２における第１の区画側の側面全体に均一な流下水膜は消失する。
【００５７】
（効果）
このように本実施の形態によれば、シャッターカーテン１２、防火扉２１、及び避難用子扉２２の両側面のうち、シャッターカーテン１２、防火扉２１、及び避難用子扉２２における第１の区画側の側面に、散水ヘッド５０ａ〜５０ｌから散水を行うことによって流下水膜を形成可能であるので、従来の防火シャッター１００（あるいは、従来の防火開閉体）に比べて少流量で流下水膜を形成することができる。そのため、散水ヘッド５０ａ〜５０ｌの散水量を低減しながら、シャッターカーテン１２、防火扉２１、及び避難用子扉２２の温度上昇を抑制することができ、散水ヘッド５０ａ〜５０ｌにおけるシャッターカーテン１２、防火扉２１、及び避難用子扉２２に対する散水効率を向上させることができる。
【００５８】
また、シャッターカーテン１２、防火扉２１、及び避難用子扉２２における第１の区画側の側面に、親水性表面処理を行ったので、当該第１の区画側の側面に形成された均一な流下水膜が、当該第１の区画側の側面の上方から下方にわたって形成されやすくなる。
【００５９】
また、散水ヘッド５０ａ〜５０ｌの各々を、当該散水ヘッド５０ａ〜５０ｌより下方に位置するシャッターカーテン１２、防火扉２１、又は避難用子扉２２に向けて傾斜状に散水可能となるように配置したので、散水ヘッド５０ａ〜５０ｌの各々から散水された水がシャッターカーテン１２、防火扉２１、及び避難用子扉２２における第１の区画側の側面に当たった時に、上方に反射した水は当該第１の区画側の側面におけるＸ方向及びＹ方向に拡散されるため、当該第１の区画側の側面に均一な流下水膜が一層形成されやすくなる。
【００６０】
また、散水ヘッド５０ａ〜５０ｌの各々は、水流減速機構を備えるので、シャッターカーテン１２、防火扉２１、及び避難用子扉２２における第１の区画側の側面における水反射を抑制し、当該第１の区画側の側面に均一な流下水膜を形成することができる。
【００６１】
〔実施の形態に対する変形例〕
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００６２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６３】
（シャッターカーテンについて）
本実施の形態では、シャッターカーテン１２、防火扉２１、及び避難用子扉２２における第１の区画側の側面には、親水性表面処理が施されていると説明したが、例えば、この親水性表面処理を省略してもよい。
【００６４】
（散水ヘッドについて）
本実施の形態では、散水ヘッド５０ａ〜５０ｌは、水流減速機構を有する散水ヘッドで構成されていると説明したが、これに限られない。例えば、散水ヘッド５０ａ〜５０ｌは、配管１８から供給された水の水流速度を維持して、ノズル部５２ｃから放射させる機構であってもよい。
【００６５】
また、本実施の形態では、散水ヘッド５０ａ〜５０ｌが防火シャッター１０に設けられており、これら散水ヘッド５０ａ〜５０ｌの散水量はシャッターカーテン１２、防火扉２１、及び避難用子扉２２における第１の区画側の側面全体に流下水膜が形成される散水量にすると説明したが、これに限られない。散水ヘッドの台数及び散水量は極力少ないことが好ましいので、例えば、各条件を満たすために好適な散水ヘッド５０の配置間隔や各散水ヘッド５０の散水幅を実験や解析により求め、これら散水ヘッド５０の配置間隔や各散水ヘッド５０の散水幅に基づいて散水ヘッド５０の台数及び散水量が決定されてもよい。
【００６６】
（防火開閉体について）
本実施の形態では、防火開閉体２０は、防火扉２１と、避難用子扉２２とを備えて構成されていると説明したが、例えば、防火開閉体２０は、防火扉２１のみを備えて構成されてもよい。
【００６７】
（流下水膜について）
本実施の形態では、散水による流下水膜は、シャッターカーテン１２、防火扉２１、及び避難用子扉２２における第１の区画側の側面に形成されると説明したが、例えば、シャッターカーテン１２、防火扉２１、又は避難用子扉２２における第１の区画側の側面に形成されてもよい。
【００６８】
（防火シャッターの機能について）
本実施の形態では、火災報知システム３０の火災感知器３１により火災が感知された場合、この火災感知器３１が防災盤３２に火災感知信号を出力し、防災盤３２が連動中継器１６に移報信号を出力し、連動中継器１６が散水ヘッド５０ａ〜５０ｌの図示しない開閉弁を開放すると説明したが、例えば避難者が手動閉鎖装置１５にて操作することにより、散水ヘッド５０ａ〜５０ｌの図示しない開閉弁を開放してもよい（なお、散水ヘッド５０ａ〜５０ｌの散水を終了する場合も、これと同様としてもよい）。
【００６９】
また、本実施の形態では、シャッターカーテン１２が自重降下を開始してから所定時間経過後に、連動中継器１６が散水ヘッド５０ａ〜５０ｌの図示しない開閉弁を開放すると説明したが、例えば、シャッターカーテン１２、防火扉２１、及び避難用子扉２２の温度上昇を一層抑制できるように、シャッターカーテン１２が自重降下を開始すると同時に、連動中継器１６が散水ヘッド５０ａ〜５０ｌの図示しない開閉弁を開放してもよい。
〔付記〕
付記１の防火シャッターは、火災発生検知時に降下して防火区画を形成する防火シャッターであって、複数のスラットを並設して構成されたシャッター本体と、前記シャッター本体への散水を行うために当該シャッター本体の上方周辺に配置された散水ヘッドとを備え、前記シャッター本体の両側面のうち、前記複数のスラットの相互の接続部が所定構造となる側面である防水面に、前記散水ヘッドから散水を行うことによって流下水膜を形成可能である。
また、付記２の防火シャッターは、付記１に記載の防火シャッターにおいて、前記シャッター本体の前記防水面に、親水性表面処理を行っている。
また、付記３の防火シャッターは、付記１又は２に記載の防火シャッターにおいて、前記散水ヘッドを、水平方向に沿って所定間隔で複数並設し、前記複数の散水ヘッドの各々を、当該各散水ヘッドより下方に位置する前記シャッター本体に向けて傾斜状に散水可能となるように配置している。
また、付記４の防火シャッターは、付記１から３のいずれか一項に記載の防火シャッターにおいて、前記散水ヘッドは、水流減速機構を備えている。
また、付記５の防火開閉体は、火災発生検知時に降下して防火区画を形成し、複数のスラットを接続して構成されるシャッター本体を備えた防火シャッターに対して並設される、防火開閉体であって、防火開閉体本体と、前記防火開閉体本体への散水を行うために当該防火開閉体本体の上方周辺に配置された散水ヘッドとを備え、前記防火開閉体本体の両側面のうち、前記複数のスラットの相互の接続部が所定構造となる側面に沿った防水面に、前記散水ヘッドから散水を行うことによって流下水膜を形成可能である。
また、付記６の防火開閉体は、付記５に記載の防火開閉体において、前記防火開閉体本体の前記防水面に、親水性表面処理を行っている。
また、付記７の防火開閉体は、付記５又は６に記載の防火開閉体において、前記散水ヘッドを、水平方向に沿って所定間隔で複数並設し、前記複数の散水ヘッドの各々を、当該各散水ヘッドより下方に位置する前記防火開閉体本体に向けて傾斜状に散水可能となるように配置している。
また、付記８の防火開閉体は、付記５から７のいずれか一項に記載の防火開閉体において、前記散水ヘッドは、水流減速機構を備えている。
〔付記の効果〕
付記１に記載の防火シャッターによれば、シャッター本体の両側面のうち、複数のスラットの相互の接続部が所定構造となる側面である防水面に、散水ヘッドから散水を行うことによって流下水膜を形成可能であるので、従来の防火シャッターに比べて少流量で流下水膜を形成することができる。そのため、従来の防火シャッターに比べて散水ヘッドの散水量を低減しながら、シャッター本体の温度上昇を抑制することができ、散水ヘッドにおけるシャッター本体に対する散水効率を向上させることができる。
また、付記２に記載の防火シャッターによれば、シャッター本体の防水面に、親水性表面処理を行ったので、シャッター本体の防水面に形成された均一な流下水膜が、当該防水面の上方から下方にわたって形成されやすくなる。
また、付記３に記載の防火シャッターによれば、複数の散水ヘッドの各々を、当該各散水ヘッドより下方に位置するシャッター本体に向けて傾斜状に散水可能となるように配置したので、散水ヘッドから散水された水がシャッター本体の防水面に当たった時に、上方に反射した水は当該防水面のＸ方向及びＹ方向に拡散されるので、当該防水面に均一な流下水膜が一層形成されやすくなる。
また、付記４に記載の防火シャッターによれば、散水ヘッドは、水流減速機構を備えるので、シャッター本体の防水面における水反射を抑制し、当該防水面に均一な流下水膜を形成することができる。
また、付記５に記載の防火開閉体によれば、防火開閉体本体の両側面のうち、複数のスラットの相互の接続部が所定構造となる側面に沿った防水面に、散水ヘッドから散水を行うことによって流下水膜を形成可能であるので、従来の防火開閉体本体に比べて少流量で流下水膜を形成することができる。そのため、従来の防火開閉体本体に比べて散水ヘッドの散水量を低減しながら、防火開閉体本体の温度上昇を抑制することができ、散水ヘッドにおける防火開閉体本体に対する散水効率を向上させることができる。
また、付記６に記載の防火開閉体によれば、防火開閉体本体の防水面に、親水性表面処理を行ったので、防火開閉体本体の防水面に形成された均一な流下水膜が、当該防水面の上方から下方にわたって形成されやすくなる。
また、付記７に記載の防火開閉体によれば、複数の散水ヘッドの各々を、当該各散水ヘッドより下方に位置する防火開閉体本体に向けて傾斜状に散水可能となるように配置したので、散水ヘッドから散水された水が防火開閉体本体の防水面に当たった時に、上方に反射した水は当該防水面のＸ方向及びＹ方向に拡散されるので、当該防水面に均一な流下水膜が一層形成されやすくなる。
また、付記８に記載の防火開閉体によれば、散水ヘッドは、水流減速機構を備えるので、防火開閉体本体の防水面における水反射を抑制し、当該防水面に均一な流下水膜を形成することができる。
【符号の説明】
【００７０】
１  開口部
２  ガイドレール
１０、１００  防火シャッター
１１  シャッター収納部
１２  シャッターカーテン
１２ａ  スラット
１２ａ１  スラットの上端部
１２ａ２  スラットの下端部
１２ａ３  スラットの本体部
１３、１０２  開閉機
１４、１０３  自動閉鎖装置
１５、１０４  手動閉鎖装置
１６、１０５  連動中継器
１７、１０６  座板
１８  配管
２０  防火開閉体
２１  防火扉
２２  避難用子扉
３０、１１０  火災報知システム
３１、１１１  火災感知器
３２、１１２  防災盤
５０、５０ａ、５０ｂ、５０ｃ、５０ｄ、５０ｅ、５０ｆ、５０ｇ、５０ｈ、５０ｉ、
５０ｊ、５０ｋ、５０ｌ  散水ヘッド
５１  ボディー部
５１ａ  入口ノズル部
５２  ヘッド本体部
５２ａ  デフレクター部
５２ｂ  前室部
５２ｃ  ノズル部
１０１  シャッター本体
Ａ  散水ヘッド５０の各々の間隔
【図１】
0005930722.tif 000002
【図２】
0005930722.tif 000003
【図３】
0005930722.tif 000004
【図４】
0005930722.tif 000005
【図５】
0005930722.tif 000006
【図６】
0005930722.tif 000007
【図７】
0005930722.tif 000008
【図８】
0005930722.tif 000009
【図９】
0005930722.tif 000010
【図１０】
0005930722.tif 000011
【図１１】
0005930722.tif 000012